(57)【要約】本発明は、吸気口１０３が形成されたブロワーケーシングａ１０５と吸気口対向側のブロワーケーシングｂ１０６との外縁部に、複数個のケーシング組立突片で組み立てられたブロワー１００を形成し、吐出口１０４の下方中間には、ベーンストッパー突段１０４ｂが、上方には、ベーン密着収納部１０７がそれぞれ形成され、ブロワーケーシングａの吐出口に隣接したベーン密着収納部１０７の外上側面と、吐出口の上側方の固定縁１０４ａの後側隣接面に、それぞれダンパーモータ螺子固定部１０５ａが一体で隆設され、ブロワーケーシングａのダンパーモータ螺子固定部１０５ａと隣接したベーン密着収納部の外上側に一体形成されたダンパーモータ軸孔融設部１０５ｂ’の吸気口側のケーシングの側面にダンパーモータ軸孔１０５ｂが穿孔され、ブロワーケーシングａのダンパーモータ軸孔融設部１０５ｂ’と当接するブロワーケーシングｂのダンパーモータ軸孔融設部１０５ｂ”の内側面には、ベーン回転軸１０６ａが突設され、ブロワーケーシングａのダンパーモータ軸孔には、ダンパーモータ２０１の偏心したダンパーモータ軸２０１ａが導入され、ダンパーモータ軸孔に当接するダンパーモータ固定ブラケット２０１ｂが組み立てられ、ダンパーモータ軸２０１ａとダンパーモータ軸孔隆設部の内側面のベーン回転軸１０６ａに組立てられ、吐出口を１つの部材で開閉するベーン２０２Ｂが組み立てられるが、ベーンの四方縁には、ガスケット２０２Ａが一体で組み立てられたベーンモジュール２０２が組立設置されることを特徴とする、気密性の向上したダンパー一体型のブロワー装置に関する。【選択図】図１
2016519752.tif 000002
【特許請求の範囲】
【請求項１】
円心側面部に設けられた吸気口１０３内の軸心部に、ブロワーファン１０１が内蔵され、固定縁１０４ａを有する吐出口１０４が形成されたブロワー１００において、
前記ブロワー１００は、吸気口１０３が形成されたブロワーケーシングａ１０５と吸気口対向側のブロワーケーシングｂ１０６との外縁部を、複数個のケーシング組立突片１０８ａ、１０８ｂ、１０８ｃ、１０８ｄ、１０８ｅで組み立て、
組み立てられたブロワー１００の吐出口１０４の下方中間には、ベーンストッパー突段１０４ｂが形成され、上方には、吐出口の規格で、ベーン密着収納部１０７がそれぞれ形成され、
吸気口が形成されたブロワーケーシングａ１０５の吐出口１０４に隣接したベーン密着収納部１０７の外上側面と、吐出口１０４の上側方の固定縁１０４ａの後側隣接面に、それぞれダンパーモータ螺子固定部１０５ａが一体で隆設され、
ブロワーケーシングａ１０５のダンパーモータ螺子固定部１０５ａと隣接したベーン密着収納部の外上側に一体形成されたダンパーモータ軸孔融設部１０５ｂ’の吸気口１０３側の外側ケーシングにダンパーモータ軸孔１０５ｂが穿孔され、
前記ブロワーケーシングａ１０５のダンパーモータ軸孔融設部１０５ｂ’と当接するブロワーケーシングｂ１０６のダンパーモータ軸孔融設部１０５ｂ”の内側面には、ベーン回転軸１０６ａが突設され、
前記ブロワーケーシングａ１０５のダンパーモータ軸孔１０５ｂには、ダンパーモータ２０１の偏心したダンパーモータ軸２０１ａが導入され、ダンパーモータ軸孔１０５ｂに当接するダンパーモータ固定ブラケット２０１ｂがピース組み立てられ、
前記吐出口１０４内には、ダンパーモータ軸２０１ａとダンパーモータ軸孔融設部１０５ｂ”の内側面のベーン回転軸１０６ａに組み立てられ、吐出口１０４を１つの部材で開閉する板材状のフッ素樹脂で形成したベーン２０２Ｂが組み立てられるが、ベーン２０２Ｂの四方縁には、２次加工で、ゴム材のガスケット２０２Ａが一体で組み立てられたベーンモジュール２０２が組立設置されることを特徴とする、気密性の向上したダンパー一体型のブロワー装置。
【請求項２】
ベーン２０２Ｂは、上側縁の両端のみをロッド形成した一端には、四角キーホール２０２ａが、他端には、回転軸孔２０２ｂがそれぞれ形成され、複数個のガスケット組立突部２０２ｅが突出した連続したラウンド状のガスケット組立部２０２ｄの四方縁の内側には、ガスケット組立部２０２ｄよりも段差の高いベーン突部２０２ｃの四方縁に、２次加工でガスケット２０２Ａが組み立てられることを特徴とする請求項１に記載の気密性の向上したダンパー一体型のブロワー装置。
【請求項３】
ガスケット２０２Ａは、ベーン２０２Ｂの四方縁に形成されたガスケット組立部２０２ｄに設けられたガスケット組立突部２０２ｅに結合するガスケット組立孔２０２ｈが形成されたポケット状のガスケット圧着部２０２ｆが四方縁に形成され、ガスケット圧着部２０２ｆの四方外縁には、シート状の防風カラー２０２ｇが形成されることを特徴とする請求項１に記載の気密性の向上したダンパー一体型のブロワー装置。
【発明の詳細な説明】
【技術分野】
【０００１】
本発明は、全熱交換換気装置等の空気流入の遮断に適用されるダンパーブロワー装置に関し、詳しくは、室内空気の熱エネルギーを保存しながら、室内空気を新鮮な室外空気に換気するダンパーブロワー装置において、気密性の向上したダンパー一体型ブロワー装置に関する。
【背景技術】
【０００２】
一般に、室内空気の浄化のために、陰イオンの空気清浄機や電気集塵装置による脱臭や集塵による室内空気質を改善し、または、最近は、室内の熱エネルギーの損失を考慮した室内外換気システムとして、ダクト方式による天井埋込型と、無ダクト方式の床据付型、建具設置型等の全熱交換換気装置が導入されている実状である。
【０００３】
このような全熱交換換気装置の種々の実施形態のうち、天井埋込型は、ダクト施工による定圧発生により、ファンモータの動力が多く用いられるという問題点と、施工費が多く所要するという短所により、最近、既存の建具に設置空間を設ける、建具や窓枠に設置空間を設ける、コンパクトで、かつスリップタイプの全熱交換換気装置が提案されているが、このような全熱交換装置は、大きく、室内空気と室外空気を相互全熱交換させる全熱交換素子と、室内空気を排気する排気ブロワーと、室外空気を給気する給気ブロワーのような給排気手段とを、主要な構成手段とし、コンパクトで、かつスリップタイプの全熱交換換気装置に提供される給排気手段のうち、騒音の少ないブロワータイプの給排気手段を多く適用している実状である。
【０００４】
どころが、一般に、このような全熱交換換気装置が稼動しないとき、室内外気を遮断する別途のダンパー施設を給排気グリルに適用しており、このようなダンパー装置の付設によると、コンパクトで、かつスリップタイプの全熱交換換気装置に適用するのに制限的なことが多かった。
【先行技術文献】
【特許文献】
【０００５】
【特許文献１】韓国公開特許公報第２０‐０４２４４２０Ｙ１号
【特許文献２】韓国公開特許公報第２０‐０３５３３７９Ｙ１号
【特許文献３】韓国公開特許公報第２０‐００５４１２２Ｙ１号
【特許文献４】韓国公開特許公報第２０‐０４４２６８３Ｙ１号
【特許文献５】韓国公開特許公報第１０‐１２３６４２２Ｂ１号
【発明の概要】
【発明が解決しようとする課題】
【０００６】
本発明は、上記問題点に鑑みなされたものであり、その目的は、室内空気の熱エネルギーを保存しながら、室内空気を新鮮な室外空気に換気するために、特に、建具や窓枠に設置空間を設ける、コンパクトで、かつスリップタイプの全熱交換換気装置等の空気流入の遮断に適用されるダンパーブロワー装置において、本出願人の先登録されたＫＲ１０‐１２３６４２２号によるダンパーブロワー装置において、複数組のベーンからなるダンパーモジュールにより、ベーンが重畳開閉される方式における改善すべき部分は、以下の通りである。
【０００７】
複数組のベーンのガスケットに異物や塵などが溜まった場合、重畳するガスケットにおいて気密性が低下するという問題と、気流抵抗による騒音の誘発と、複数組のベーン回転軸に軸挿されるベーン孔と、それぞれのベーン毎に１組ずつの回転アームと連動する連結ロッドが、ケーシングの外装に突設される方式により、シンプルな外観デザインの発展を阻害し、作製原価の面においても、多くの負担をもたらすことを防止する、気密性の向上したダンパー一体型ブロワー装置を提供することにある。
【課題を解決するための手段】
【０００８】
上述した目的を達成するために、本発明は、円心側面部に設けられた吸気口１０３内の軸心部に、ブロワーファン１０１が内蔵され、固定縁１０４ａを有する吐出口１０４が形成されたブロワー１００において、前記ブロワー１００は、吸気口１０３が形成されたブロワーケーシングａ１０５と吸気口対向側のブロワーケーシングｂ１０６との外縁部を、複数個のケーシング組立突片１０８ａ、１０８ｂ、１０８ｃ、１０８ｄ、１０８ｅで組み立て、組み立てられたブロワー１００の吐出口１０４の下方中間には、ベーンストッパー突段１０４ｂが形成され、上方には、吐出口の規格で、ベーン密着収納部１０７がそれぞれ形成され、吸気口が形成されたブロワーケーシングａ１０５の吐出口１０４に隣接したベーン密着収納部１０７の外上側面と、吐出口１０４の上側方の固定縁１０４ａの後側隣接面に、それぞれダンパーモータ螺子固定部１０５ａが一体で隆設され、ブロワーケーシングａ１０５のダンパーモータ螺子固定部１０５ａと隣接したベーン密着収納部の外上側に一体形成されたダンパーモータ軸孔融設部１０５ｂ’の吸気口１０３側の外側ケーシングにダンパーモータ軸孔１０５ｂが穿孔され、前記ブロワーケーシングａ１０５のダンパーモータ軸孔融設部１０５ｂ’と当接するブロワーケーシングｂ１０６のダンパーモータ軸孔融設部１０５ｂ”の内側面には、ベーン回転軸１０６ａが突設され、前記ブロワーケーシングａ１０５のダンパーモータ軸孔１０５ｂには、ダンパーモータ２０１の偏心したダンパーモータ軸２０１ａが導入され、ダンパーモータ軸孔１０５ｂに当接するダンパーモータ固定ブラケット２０１ｂがピース組み立てられ、前記吐出口１０４内には、ダンパーモータ軸２０１ａとダンパーモータ軸孔融設部１０５ｂ”の内側面のベーン回転軸１０６ａに組み立てられ、吐出口１０４を１つの部材で開閉する板材状のフッ素樹脂で形成したベーン２０２Ｂが組み立てられるが、ベーン２０２Ｂの四方縁には、２次加工で、ゴム材のガスケット２０２Ａが一体で組み立てられたベーンモジュール２０２が組立設置されることを特徴とする、気密性の向上したダンパー一体型のブロワー装置を提供し、建具や窓枠に設置空間を設ける、コンパクトで、かつスリップタイプの全熱交換換気装置であって、製造原価を低くし、外観がシンプルであり、室内外気換気装置用の各種の通風機及びブロワーとして有用に提供され得る。
【発明の効果】
【０００９】
本発明によれば、ブロワーの吐出口内に単板で付設されるベーンモジュール２０２により、従来、複数個が連動して重畳するベーンに比べて、外部空気を吸気し、または室内空気を排気する間、ベーンによる風圧が低下し、騒音が発生する現象を除去することができる。
【００１０】
また、従来、ケーシングの外側に設置する回転アームや、連結ロッドヒンジ軸、連結ロッドヒンジ孔が連結された連結ロッドを挟み、連動開閉する方式に比べて、ダンパーモータ２０１の以外には、外部に設置する部材がなく、極めてコンパクトであり、シンプルになる。
【００１１】
したがって、設置空間が狭い建具や窓枠用の全熱交換換気装置等に適用するのにさらに有用になり、その他、室内空気の熱エネルギーを保存しながら、室内空気を新鮮な室外空気に換気する、各種の通風機用のブロワー装置であって、利用可能性を高め、利用時、部品がさらに減少し、製造原価も節減させた有用な発明である。
【図面の簡単な説明】
【００１２】
【図１】本発明の組立状態を示す斜視図である。
【図２】本発明の主要部の分解組立斜視図である。
【図３】本発明の主要部の部分切欠分解組立斜視図である。
【図４】本発明の主要部のベーンモジュールの分離組立斜視図である。
【図５】本発明の参考図であって、送風停止時のダンパー遮断状態と、送風運転時のダンパー開放状態とを示す部分参考断面図である。
【発明を実施するための形態】
【００１３】
以下、上述した目的を達成するために、添付した図面に基づき、本発明の一実施構成について詳述する。
【００１４】
図１に示した本発明の組立状態を示す斜視図と、図２に示した本発明の主要部の分解組立斜視図と、図３に示した本発明の主要部の部分切欠分解組立斜視図と、図４に示した本発明の主要部のベーンモジュールの分離組立斜視図とを参照すると、以下の通りである。
【００１５】
円心側面部に設けられた吸気口１０３内の軸心部に、ブロワーファン１０１が内蔵され、固定縁１０４ａを有する吐出口１０４が形成されたブロワー１００において、
前記ブロワー１００は、吸気口１０３が形成されたブロワーケーシングａ１０５と吸気口対向側のブロワーケーシングｂ１０６との外縁部を、複数個のケーシング組立突片１０８ａ、１０８ｂ、１０８ｃ、１０８ｄ、１０８ｅで組み立て、
組み立てられたブロワー１００の吐出口１０４の下方中間には、ベーンストッパー突段１０４ｂが形成され、上方には、吐出口の規格で、ベーン密着収納部１０７がそれぞれ形成され、
吸気口が形成されたブロワーケーシングａ１０５の吐出口１０４に隣接したベーン密着収納部１０７の外上側面と、吐出口１０４の上側方の固定縁１０４ａの後側隣接面に、それぞれダンパーモータ螺子固定部１０５ａが一体で隆設され、
ブロワーケーシングａ１０５のダンパーモータ螺子固定部１０５ａと隣接したベーン密着収納部の外上側に一体形成されたダンパーモータ軸孔融設部１０５ｂ’の吸気口１０３側の外側ケーシングにダンパーモータ軸孔１０５ｂが穿孔され、
前記ブロワーケーシングａ１０５のダンパーモータ軸孔融設部１０５ｂ’と当接するブロワーケーシングｂ１０６のダンパーモータ軸孔融設部１０５ｂ”の内側面には、ベーン回転軸１０６ａが突設され、
前記ブロワーケーシングａ１０５のダンパーモータ軸孔１０５ｂには、ダンパーモータ２０１の偏心したダンパーモータ軸２０１ａが導入され、ダンパーモータ軸孔１０５ｂに当接するダンパーモータ固定ブラケット２０１ｂがピース組み立てられ、
前記吐出口１０４内には、ダンパーモータ軸２０１ａとダンパーモータ軸孔融設部１０５ｂ”の内側面のベーン回転軸１０６ａに組み立てられ、吐出口１０４を１つの部材で開閉する板材状のフッ素樹脂で形成したベーン２０２Ｂが組み立てられるが、ベーン２０２Ｂの四方縁には、２次加工で、ゴム材のガスケット２０２Ａが一体で組み立てられたベーンモジュール２０２が組立設置されるものである。
【００１６】
前記ベーン２０２Ｂは、上側縁の両端のみをロッド形成した一端には、四角キーホール２０２ａが、他端には、回転軸孔２０２ｂがそれぞれ形成され、複数個のガスケット組立突部２０２ｅが突出した連続したラウンド状のガスケット組立部２０２ｄの四方縁の内側には、ガスケット組立部２０２ｄよりも段差の高いベーン突部２０２ｃの四方縁に、２次加工でガスケット２０２Ａが組み立てられるものである。
【００１７】
ガスケット２０２Ａは、ベーン２０２Ｂの四方縁に形成されたガスケット組立部２０２ｄに設けられたガスケット組立突部２０２ｅに結合するガスケット組立孔２０２ｈが形成されたポケット状のガスケット圧着部２０２ｆが四方縁に形成され、ガスケット圧着部２０２ｆの四方外縁には、シート状の防風カラー２０２ｇが形成されたものである。
【００１８】
以下、このように構成された本発明によるダンパーブロワー装置における、図５に示した本発明の参考図であって、送風停止時のダンパー遮断状態と、送風運転時のダンパー開放状態とを示す部分参考断面図を参考して、機密性向上作用について説明する。
【００１９】
本発明によるブロワー１００の吐出口１０４内において、ダンパーモータ軸２０１ａと、ダンパーモータ軸孔隆設部１０５ｂ”の内側面のベーン回転軸１０６ａに組み立てられ、吐出口１０４を１つの部材で開閉させる板状のベーンモジュール２０２は、ブロワーファンが停止され、送風が停止すると、ダンパーモータ２０１が起動され、ダンパーモータ軸２０１ａが図面上の左方向に起動され、ベーン回転軸１０６ａと、四角キーホール２０２ａに組み立てられたダンパーモータ軸２０１ａとにより、ベーン２０２が半時計方向に９０°回転され、吐出口１０４の底部の下端部に形成されたベーンストッパー突段１０４ｂに密着され、ベーン２０２Ｂの四方縁に柔軟なゴム材の防風カラー２０２ｇが形成されたガスケット２０２Ａにより、外気が、吐出口１０４の内部に流入されず、気密性が大いに向上する。
【００２０】
参考として、ベーンモジュール２０２を開閉させるダンパーモータ２０１は、小型のステッピングモータであり、メイン電源が印加された状態では、吐出口の開放状態でのブロワーファンの風圧や、閉鎖した状態での、外部の物理的な押圧や害風によってオープンされることなく、ロック状態が維持される。
【００２１】
一方、ブロワーファン１０１が稼動され、送風時は、吐出口１０４を閉鎖させたベーンモジュール２０２は、ダンパーモータ２０１の逆回転起動により、時計方向に９０°回転され、吐出口１０４の上側部に設けられたベーン密着収納部１０７の内側に密着され、吐出口１０４に排出される気流が妨害されず、従来、複数個のベーンが重畳組立され、吐出口に設けられた方式に比べて、ベーンによる風圧が低下し、騒音が発生する現象を除去したものである。
【００２２】
このような気密性の向上したダンパー一体型ブロワー装置は、吐出口内にベーンモジュールが一体で付設されるものであり、従来、外部空気を吸気し、または室内空気を排気するブロワーケーシングに別途のダンパーを設置することに比べて、さらにコンパクトである。
【００２３】
また、本発明によるブロワー１００のブロワーケーシングａ１０５とブロワーケーシングｂ１０６が一体であり、吸気口側ケーシングと、その対向側のケーシングが分離される方式のブロワーにも、ベーンモジュール２０２が同様に適用されることを、本発明による変形実施例でも、同一の効果を及ぼすものといえる。
【００２４】
特に、従来、ケーシングの外部側に設置する回転アームや、連結ロッドヒンジ軸、連結ロッドヒンジ孔が連結された連結ロッドを挟み、連動組立して開閉させた方式に比べて、ダンパーモータ２０１の以外には、外部に設置する部材がなく、極めてシンプルであるので、設置空間が狭い建具や窓枠用の全熱交換換気装置等に適用するのに利用可能性をさらに高めた。
【００２５】
また、室内空気の熱エネルギーを保存しながら、室内空気を新鮮な室外空気に換気する、各種の通風装置として用いるとき、部品をさらに減らし、製造原価も節減させるという有用な発明である。
【符号の説明】
【００２６】
１００    ブロワー
１０１    ブロワーファン
１０２    ファンモータ
１０３    吸気口
１０４    吐出口
１０４ａ    固定縁
１０４ｂ    ベーンストッパー突段
１０５    ブロワーケーシングａ
１０５ａ    ダンパーモータ螺子固定部
１０５ｂ    ダンパーモータ軸孔
１０５ｂ’、１０５ｂ”    ダンパーモータ軸孔隆設部
１０６ｂ    ブロワーケーシングｂ
１０７    ベーン密着収納部
１０８ａ、１０８ｂ、１０８ｃ、１０８ｄ、１０８ｅ    ケーシング組立突片
２０１    ダンパーモータ
２０１ａ    ダンパーモータ軸
２０１ｂ    ダンパーモータ固定ブラケット
２０２    ベーンモジュール
２０２Ａ    ガスケット
２０２Ｂ    ベーン
２０２ａ    四角キーホール
２０２ｂ    回転軸孔
２０２ｃ    ベーン突部
２０２ｄ    ガスケット組立部
２０２ｅ    ガスケット組立突部
２０２ｆ    ガスケット圧着部
２０２ｇ    防風カラー
２０２ｈ    ガスケット組立孔
【図１】
2016519752.tif 000003
【図２】
2016519752.tif 000004
【図３】
2016519752.tif 000005
【図４】
2016519752.tif 000006
【図５】
2016519752.tif 000007
【国際調査報告】
2016519752.tif 000008
2016519752.tif 000009
2016519752.tif 000010
2016519752.tif 000011